【事件の表示】
　特願２０１４−５５５２８９「グルテンフリー調理用製品」拒絶査定不服審判事件〔平成２５年　８月　８日国際公開、ＷＯ２０１３／１１４０４８、平成２７年　３月　５日国内公表、特表２０１５−５０６６９４、請求項の数（７）〕について、次のとおり審決する。
【結　論】
　原査定を取り消す。
　本願の発明は、特許すべきものとする。
【理　由】
第１　手続の経緯
　本願は、２０１３年１月３１日（パリ条約による優先権主張外国庁受理　２０１２年２月１日（ＦＲ）フランス）を国際出願日とする出願であって、平成２９年４月２４日付けで拒絶査定がされ、これに対し、同年９月４日に拒絶査定不服審判が請求され、同時に手続補正がされたものである。
　その後、当審において平成３０年８月３日付けで拒絶理由が通知され、同年１０月２３日付けで意見書及び手続補正書が提出された。
第２　本願発明
　本願の請求項１〜７に係る発明（以下、それぞれ「本願発明１」〜「本願発明７」という。）は、平成３０年１０月２３日付けの手続補正書により補正された特許請求の範囲の請求項１〜７に記載された事項により特定される、以下のとおりのものである。
「【請求項１】
−　アルファ化グルテンフリーデンプンを含むグルテンフリーデンプンと、
−　エンドウマメ由来の繊維と、
−　エンドウマメ由来のタンパク質と、
を含み、
　前記グルテンフリーデンプンの含有率が、総重量の３５．８〜４１．４％であり、
　前記エンドウマメ由来の繊維の含有率が、総重量の４．９〜９．３％であり、
　前記エンドウマメ由来のタンパク質の含有率が、総重量の１．４〜３．２％である、グルテンフリー焼成品用組成物。
【請求項２】
前記グルテンフリーデンプンが、非変性グルテンフリーデンプン、変性グルテンフリーデンプン又はこれらの混合物からなる群から選択されることを特徴とする、請求項１に記載の組成物。
【請求項３】
前記グルテンフリーデンプンが、非変性グルテンフリーデンプンである、ことを特徴とする、請求項１に記載の組成物。
【請求項４】
焼成することが意図され、請求項１〜３のいずれか１項に記載の組成物を用いることによって得られるグルテンフリー生地。
【請求項５】
請求項４に記載の生地を焼成することによって得られる、グルテンフリー焼成品。
【請求項６】
セリアック病に罹患している個体による摂食が意図される焼成品の生産を目的とする、請求項１〜３のいずれか１項に記載の組成物の使用。
【請求項７】
セリアック病に罹患している個体による摂食が意図される焼成品の家庭での製造のためのミックスであって、請求項１〜３のいずれか１項に記載の組成物を含むことを特徴とする、ミックス。」
第３　原査定の概要
　原査定の拒絶の理由は、本願の請求項１〜７に係る発明は、当業者が下記の引用文献１〜３に記載された発明に基いて容易に発明をすることができたものであるから、特許法２９条２項の規定により特許を受けることができない、というものである。
　引用文献１．特開２０１１−３６２１２号公報
　引用文献２．米国特許出願公開第２００１／００５５６４２号明細書
　引用文献３．国際公開第２０１０／１００３６８号
第４　引用文献の記載及び引用発明
（１）引用文献１には、以下の事項が記載されている（「・・・」は記載の省略を意味し、下線は当審による。以下同じ。）。
「【請求項１】
少なくとも
穀粉を含む菓子用プレミックスにおいて、穀粉の主成分が大豆粉及びグネツム種子粉である
　・・・
【請求項４】
穀粉は、米粉、アルファ化米粉、
澱粉、及びアルファ化澱粉
「【００３５】
  実施例１
  大豆粉（生大豆を粉末化したもの）５０重量部、グネツム種子粉５０重量部を混合してスポンジケーキ用プレミックスを調製した。調製したスポンジケーキ用プレミックス全量、全卵１７９重量部、上白糖１２６．３重量部、無塩バター２１重量部、及び牛乳５２．６重量部を混合し泡立ててスポンジケーキ用生地を調製した。その後、調製したスポンジケーキ用生地を型に入れ、オーブン（上火１７５〜１８０℃、下火１７０℃）で２５分焼成することによりスポンジケーキを製造した。
【００３６】
  実施例２〜１０及び比較例１〜３
  下記表１に記載の配合を採用した以外は実施例１と同様の方法でスポンジケーキを製造した。なお、きな粉の原料としては黒大豆を用い、
澱粉としてはコーンスターチを用い、アルファ化澱粉としてはワキシーアルファ−Ｙを用いた
【００３７】
【表１】
　　　　　　　　　　　　　　　　　　　　　　　　　　　　　　　　」
　これらの記載、特に実施例３、５に着目すれば、引用文献１には、次の発明（以下「引用発明」という。）が記載されていると認められる。
「大豆粉、グネツム種子粉、澱粉としてコーンスターチ、アルファ化澱粉としてワキシーアルファ−Ｙを含むスポンジケーキ用プレミックス。」
（２）引用文献２には、以下の事項が記載されている（当審訳を示す。）。
「２０．以下を含む大豆ベース製品の製造方法。
　大豆成分およびアルファ化デンプンを含む乾燥成分を、アルファ化デンプンを糊化するのに十分な温度で、水を含む湿潤成分と組み合わせて生地を調製すること；ここで、大豆成分は、乾燥成分の約６０重量％〜約９０重量％、α化デンプンは、乾燥成分の約１０重量％〜約４０重量％、湿潤成分は生地の約２５重量％〜約４５重量％である、
　生地をシート化し、生地から生地片を切断すること、
　生地片を焼成すること」（４頁右欄）
「２６．湿潤成分がさらにミルクを含む、請求項２０に記載の方法。」（４頁右欄）
「［００１１］α化デンプンは、好ましくは、穀物または穀類デンプン、塊茎デンプン、根デンプン、植物デンプン、マメ科デンプン、ハイブリッドデンプン、およびこれらの混合物からなる群から選択される。有利には、これらは、アルファ化コーンスターチ、米デンプン、アロールートデンプン、エンドウ豆デンプン、タピオカデンプン、およびジャガイモデンプンを含むことができる。」（２頁左欄５〜１０行）
（３）引用文献３には、以下の事項が記載されている（対応する特表２０１２−５１９０１１号による訳を示す。）。
「【請求項１】
  少なくとも１つの植物性タンパク質および少なくとも１つの植物性食物繊維を含有する造粒粉末であって、・・・造粒粉末。
　・・・
【請求項１２】
  前記粉末が、
エンドウタンパク質
エンドウ食物繊維
「【００２１】
  したがって、本発明の目的の１つは、動物性タンパク質に対する置き換えとしての植物性タンパク質を提起する・・・」
第５　対比・判断
１　本願発明１について
（１）対比
　引用発明の「コーンスターチ」、「ワキシーアルファ−Ｙ」は、いずれもグルテンを含むものではないから、本願発明の「グルテンフリーデンプン」に相当し、引用発明の「ワキシーアルファ−Ｙ」は、本願発明の「アルファ化グルテンフリーデンプン」に相当する。
　引用発明の「スポンジケーキ用プレミックス」は、焼成品用組成物といえるものであって、グルテンを含まないから、本願発明の「グルテンフリー焼成品用組成物」に相当する。
　よって、本願発明と引用発明との一致点、相違点は以下のとおりである。
［一致点］
　アルファ化グルテンフリーデンプンを含むグルテンフリーデンプンを含むグルテンフリー焼成品用組成物。
［相違点１］
　本願発明は、「エンドウマメ由来の繊維と、エンドウマメ由来のタンパク質と、を含み、」「エンドウマメ由来の繊維の含有率が、総重量の４．９〜９．３％であり」、「エンドウマメ由来のタンパク質の含有率が、総重量の１．４〜３．２％である」のに対し、引用発明はエンドウマメ由来の繊維と、エンドウマメ由来のタンパク質とを含まない点。
［相違点２］
　本願発明は、「グルテンフリーデンプンの含有率が、総重量の３５．８〜４１．４％」であるのに対し、引用発明はグルテンフリーデンプンの含有率を特定するものではない点。
（２）判断
　上記相違点１について検討すると、引用文献１には、エンドウマメについて言及するところがないから、同文献は、相違点１に係る構成を示唆するものではない。
　引用文献２には、エンドウ豆デンプンについて記載されているが、エンドウマメ由来の繊維、エンドウマメ由来のタンパク質、それらの重量割合については記載されていない。
　引用文献３には、エンドウタンパク質とエンドウ食物繊維について記載されているとともに、動物性タンパク質をエンドウタンパク質に置き換える旨の示唆もあるといえる。しかし、引用文献１に、スポンジケーキ用プレミックスが全卵を含むことが記載されているものの、スポンジケーキにおける全卵をエンドウタンパク質に置き換えることは、技術常識に照らして普通のこととはいえず、引用文献３には、スポンジケーキ用プレミックスに用いることを示唆する記載はないことを踏まえると、引用文献３の動物性タンパク質をエンドウタンパク質に置き換える旨の示唆を踏まえても、引用発明に引用文献３のエンドウタンパク質とエンドウ食物繊維を採用することは当業者が容易に想到し得たとはいえない。また、引用文献１には、穀粉の主成分が大豆粉及びグネツム種子粉であることが記載されていることから、引用発明の大豆をエンドウマメに変更することが当業者にとって容易であるともいえない。
　よって、引用発明において、相違点１に係る本願発明１の構成を採用することは、引用文献２、３の開示を参照しても、当業者が容易に想到し得たこととはいえない。
　したがって、上記相違点２について判断するまでもなく、本願発明１は、引用発明、引用文献１〜３に記載された技術的事項に基づいて当業者が容易に発明をすることができたものとはいえない。
２　本願発明２〜７について
　本願発明２〜７も、上記相違点１に係る本願発明１の構成と同一の構成を備えるものであるから、本願発明１と同じ理由により、引用発明、引用文献１〜３に記載された技術的事項に基づいて当業者が容易に発明をすることができたものとはいえない。
　なお、引用文献２を主引用文献として検討しても、引用文献２に記載された発明はエンドウマメ由来の繊維と、エンドウマメ由来のタンパク質とを含まないから、上記相違点１と同様の点で本願発明１〜７と相違し、その判断についても同様となる。
第６　当審拒絶理由について
　当審では、請求項１に記載されたグルテンフリーデンプン、エンドウ豆由来の繊維の含有率の数値の根拠となる記載が当初明細書等にないことから、本願は、特許法１７条の２第３項に規定する要件を満たしていない補正をしたものであり、請求項１〜７には、アルファ化されたグルテンフリーデンプンが含まれることの特定がないから、特許請求の範囲の記載が特許法３６条６項１号に規定する要件を満たしておらず、請求項４の「レシピに用いることによって得られる」の技術内容が明確でないから、特許請求の範囲の記載が特許法３６条６項２号に規定する要件を満たしていないとの拒絶の理由を通知した。
　しかし、平成３０年１０月２３日付けの手続補正書により、請求項１のグルテンフリーデンプン、エンドウ豆由来の繊維の含有率の数値が補正され、請求項１に「アルファ化グルテンフリーデンプンを含む」ことを特定し、請求項４の「レシピに用いることによって得られる」との記載を削除する補正がなされた結果、この拒絶の理由は解消した。
第７　むすび
　以上のとおり、本願発明１〜７は、当業者が引用文献１〜３に記載された発明に基いて容易に発明をすることができたものではない。
　したがって、原査定の理由によって、本願を拒絶することはできない。
　また、他に本願を拒絶すべき理由を発見しない。
　よって、結論のとおり審決する。